(57)【要約】【課題】アンテナモジュールでの良好な通信品質や放熱性を確保することができる電子機器を提供する。【解決手段】電子機器１０は、第１筐体部材２６の開口２６ｃを第２筐体部材２７で塞いだ箱状の本体筐体１４を備える。また電子機器１０は、電波を送受信するアンテナモジュール１２が載置されるアンテナ載置面３６ｃを有し、第１筐体部材２６の内面２６ｄに固定される金属製のブラケット３６と、ブラケット３６に装着され、アンテナ載置面３６ｃ上でアンテナモジュール１２を保持する樹脂製の保持具３８とを備える。【選択図】図７Ａ
2018182651.tif 000002
【特許請求の範囲】
【請求項１】
一方の筐体部材の開口を他方の筐体部材で塞いだ箱状の筐体と、
電波を送受信するアンテナモジュールが載置されるアンテナ載置面を有し、前記一方の筐体部材の内面に固定される金属製のブラケットと、
前記ブラケットに装着され、前記アンテナ載置面上で前記アンテナモジュールを保持する樹脂製の保持具と、
を備えることを特徴とする電子機器。
【請求項２】
請求項１に記載の電子機器において、
前記アンテナ載置面と前記アンテナモジュールとの間に、熱伝導性を持ったシート状部材を設けたことを特徴とする電子機器。
【請求項３】
請求項１又は２に記載の電子機器において、
前記保持具は、内側に孔部が形成された枠状部材であり、
前記アンテナ載置面及び前記アンテナモジュールは、前記孔部の内側に配置されていることを特徴とする電子機器。
【請求項４】
請求項１〜３のいずれか１項に記載の電子機器において、
前記筐体は、内部に電子部品を有すると共に、該電子部品は、前記一方の筐体部材の内面に固定されており、
前記アンテナモジュールは、前記一方の筐体部材の内面よりも前記他方の筐体部材の内面に近接した位置に配置されていることを特徴とする電子機器。
【請求項５】
請求項４に記載の電子機器において、
前記他方の筐体部材は、少なくとも一部に樹脂製の電波透過部を有し、
前記アンテナモジュールは、少なくとも前記アンテナ載置面と対向する面の裏面に電波送受信部を有すると共に、該電波送受信部が前記電波透過部に対向配置されていることを特徴とする電子機器。
【請求項６】
請求項５に記載の電子機器において、
前記アンテナモジュールは、少なくとも前記電波送受信部の周囲に対して１８０度以上の範囲で電波を送受信可能であり、
前記一方の筐体部材は、少なくとも前記アンテナモジュールと重なる位置に樹脂製の電波透過部を有することを特徴とする電子機器。
【請求項７】
請求項１〜６のいずれか１項に記載の電子機器において、
当該電子機器は、前記一方の筐体部材の上面にキーボード装置を有する前記筐体と、
ディスプレイを有し、前記筐体に対してヒンジを介して開閉可能に連結されたディスプレイ筐体とを備えることを特徴とする電子機器。
【発明の詳細な説明】
【技術分野】
【０００１】
本発明は、アンテナを備えた電子機器に関する。
【背景技術】
【０００２】
従来よりノートブック型パーソナルコンピュータ（ノート型ＰＣ）のような電子機器は、無線通信用のアンテナを搭載している。例えば特許文献１には、無線通信用のアンテナをディスプレイ筐体に搭載したノート型ＰＣが開示されている。
【先行技術文献】
【特許文献】
【０００３】
【特許文献１】特開２０１２−１９４９７号公報
【発明の概要】
【発明が解決しようとする課題】
【０００４】
上記のような電子機器は、さらなる通信スピードの向上等のため、その周波数帯が次第に高周波になってきている。例えばＷｉＧｉｇ（Wireless  Gigabit）規格は、６０ＧＨｚ帯の無線通信規格であり、短距離高速デジタル無線伝送用として世界的に用いられる規格である。この種のアンテナは、電波の指向性や直進性が強く、アンテナモジュールでの発熱量も大きい。このため、この種のアンテナモジュールは、電波の送受信方向が導体に遮蔽されず、十分な放熱構造を設けた状態で電子機器の筐体内に搭載される必要がある。
【０００５】
ところが、この種のアンテナモジュールを上記特許文献１のようにディスプレイ筐体に搭載する場合には、導体であるディスプレイによる電波の遮蔽と、薄いディスプレイ筐体内での放熱構造の構築とが問題となる。すなわち、この種のアンテナモジュールをディスプレイ筐体に搭載する場合は、ディスプレイとアンテナモジュールの間に一定の間隔を確保し、さらに薄くスペースの少ない筐体内に放熱用部品等を設置する必要がある。その結果、電子機器は、例えばディスプレイの周縁部を覆う樹脂製のベゼル部材を幅広に構成せざるを得ず、機器の外観品質が損なわれることになる。
【０００６】
本発明は、上記従来技術の課題を考慮してなされたものであり、アンテナモジュールでの良好な通信品質や放熱性を確保することができる電子機器を提供することを目的とする。
【課題を解決するための手段】
【０００７】
本開示の電子機器は、一方の筐体部材の開口を他方の筐体部材で塞いだ箱状の筐体と、電波を送受信するアンテナモジュールが載置されるアンテナ載置面を有し、前記一方の筐体部材の内面に固定される金属製のブラケットと、前記ブラケットに装着され、前記アンテナ載置面上で前記アンテナモジュールを保持する樹脂製の保持具とを備えることを特徴とする。
【０００８】
本開示の電子機器は、前記アンテナ載置面と前記アンテナモジュールとの間に、熱伝導性を持ったシート状部材を設けた構成であってもよい。
【０００９】
本開示の電子機器において、前記保持具は、内側に孔部が形成された枠状部材であり、前記アンテナ載置面及び前記アンテナモジュールは、前記孔部の内側に配置された構成であってもよい。
【００１０】
本開示の電子機器において、前記筐体は、内部に電子部品を有すると共に、該電子部品は、前記一方の筐体部材の内面に固定されており、前記アンテナモジュールは、前記一方の筐体部材の内面よりも前記他方の筐体部材の内面に近接した位置に配置された構成であってもよい。
【００１１】
本開示の電子機器において、前記他方の筐体部材は、少なくとも一部に樹脂製の電波透過部を有し、前記アンテナモジュールは、少なくとも前記アンテナ載置面と対向する面の裏面に電波送受信部を有すると共に、該電波送受信部が前記電波透過部に対向配置された構成であってもよい。
【００１２】
本開示の電子機器において、前記アンテナモジュールは、少なくとも前記電波送受信部の周囲に対して１８０度以上の範囲で電波を送受信可能であり、前記一方の筐体部材は、少なくとも前記アンテナモジュールと重なる位置に樹脂製の電波透過部を有する構成であってもよい。
【００１３】
本開示の電子機器は、前記一方の筐体部材の上面にキーボード装置を有する前記筐体と、ディスプレイを有し、前記筐体に対してヒンジを介して開閉可能に連結されたディスプレイ筐体とを備える構成であってもよい。
【発明の効果】
【００１４】
本開示によれば、アンテナモジュールでの良好な通信品質や放熱性を確保することができる。
【図面の簡単な説明】
【００１５】
【図１】図１は、本開示に係る電子機器の斜視図である。
【図２】図２は、本開示の本体筐体の内部構造の構成例を模式的に示す図である。
【図３】図３は、本開示のアンテナモジュールの取付構造を示す分解斜視図である。
【図４】図４は、本開示のアンテナモジュールの取付構造を示す斜視図である。
【図５】図５は、図４に示すアンテナモジュールを裏側から見た状態を示す斜視図である。
【図６】図６は、図４に示すアンテナモジュールの平面図である。
【図７Ａ】図７Ａは、本開示の電子機器の後端部及びその周辺部を拡大して模式的に示した側面断面図である。
【図７Ｂ】図７Ｂは、図７Ａに示す電子機器のディスプレイ筐体の角度を変更した状態での側面断面図である。
【発明を実施するための形態】
【００１６】
以下、本発明に係る電子機器について好適な実施の形態を挙げ、添付の図面を参照しながら詳細に説明する。
【００１７】
図１は、本開示に係る電子機器１０の斜視図である。図１に示すように、電子機器１０は、無線通信用のアンテナとなるアンテナモジュール１２を搭載した本体筐体１４と、ディスプレイ筐体１６とを備える。
【００１８】
以下、図１に示すように、ディスプレイ筐体１６に設けられたディスプレイ１８をユーザが視認している状態を基準とし、手前側を前、奥側を後と呼び、本体筐体１４の幅方向で左方を左、右方を右と呼び、本体筐体１４の厚み方向で上方を上、下方を下と呼んで説明する。
【００１９】
本体筐体１４は、上面にキーボード装置２２及びタッチパッド２４が設けられ、内部にアンテナモジュール１２が設けられている。
【００２０】
本体筐体１４は、上側の第１筐体部材２６と下側の第２筐体部材２７とで扁平箱状に形成されている。第１筐体部材２６は、本体筐体１４の上面を形成する上板２６ａと、上板２６ａの四周縁部から垂下された４枚の側板２６ｂとを有し、上面が蓋され、下面が開口した形状である。第２筐体部材２７は、本体筐体１４の下面を形成する板状部材であり、第１筐体部材２６の下面側の開口２６ｃ（図２参照）を塞ぐカバー部材となる。キーボード装置２２及びタッチパッド２４は、第１筐体部材２６の上板２６ａに設けられた開口を通して本体筐体１４の上面に露出されている。
【００２１】
ディスプレイ筐体１６は、本体筐体１４よりも薄い扁平箱状に構成され、その内面にディスプレイ１８が配設されている。ディスプレイ筐体１６は、その下端部がヒンジ２８を介して本体筐体１４の後端部と開閉可能に連結されている。ディスプレイ筐体１６は、ヒンジ２８を通過した図示しないケーブルにより本体筐体１４と電気的に接続されている。
【００２２】
本開示の電子機器１０は、本体筐体１４にディスプレイ筐体１６を重ねた０度位置から、ディスプレイ筐体１６を本体筐体１４から平行するまで開いた１８０度位置まで開閉可能なクラムシェル型構造である。電子機器１０は、ディスプレイ筐体１６を本体筐体１４の下面側まで反転させた３６０度位置まで開閉可能な構造であってもよい。
【００２３】
図２は、本開示の本体筐体１４の内部構造の構成例を模式的に示す図であり、第２筐体部材２７を取り外した第１筐体部材２６を下面側から見た図である。
【００２４】
図２に示すように、本体筐体１４は、その内部に各種電子部品、例えば基板３０、ＣＰＵ（中央演算装置）３１、冷却ファン３２、ヒートパイプ３３、ＨＤＤ（ハードディスク）装置３４及びバッテリ装置３５を収納している。これら電子部品は、第１筐体部材２６の内面２６ｄに取付固定されている。
【００２５】
当該電子機器１０は、図示しないメモリ装置の増設等のメンテナンス作業のために、ユーザが第１筐体部材２６から第２筐体部材２７を取り外すことを想定している。そこで、電子機器１０では、本体筐体１４の内部に搭載される基板３０等の電子部品が第１筐体部材２６の内面２６ｄに固定されている。これにより本体筐体１４は、第１筐体部材２６と第２筐体部材２７との間に配線等が亘らない構造となっている。第２筐体部材２７は、例えば所定のねじや係合構造を用いて第１筐体部材２６に着脱される。
【００２６】
アンテナモジュール１２は、本体筐体１４内で後端部略中央に配置されている。アンテナモジュール１２は、例えばＷｉＧｉｇ規格に準拠した仕様であり、例えば６０ＧＨｚ帯の無線通信における電波の送受信を行うものである。
【００２７】
図３は、本開示のアンテナモジュール１２の取付構造を示す分解斜視図である。図４は、本開示のアンテナモジュール１２の取付構造を示す斜視図である。図５は、図４に示すアンテナモジュール１２を裏側から見た状態を示す斜視図である。図６は、図４に示すアンテナモジュール１２の平面図である。
【００２８】
図２〜図６に示すように、アンテナモジュール１２は、ブラケット３６及び保持具３８を介して第１筐体部材２６の内面２６ｄに取付固定されている。
【００２９】
ブラケット３６は、金属製の板金部品である。ブラケット３６は、アルミニウムや銅のような熱伝導率の高い金属で形成されている。ブラケット３６は、取付部３６ａと、ブリッジ部３６ｂと、アンテナ載置面３６ｃと、一対の装着孔３６ｄ，３６ｄとを有する。
【００３０】
取付部３６ａは、第１筐体部材２６の内面２６ｄに取付固定される平板である。例えば取付部３６ａは、雌ねじ３９ａを有し、内面２６ｄから突出したボス３９の頂面に当接配置される（図３参照）。取付部３６ａは、貫通孔３６ｅを有する。貫通孔３６ｅには、雌ねじ３９ａに締結されるねじ４０（図６参照）のねじ部が挿通される。
【００３１】
ブリッジ部３６ｂは、取付部３６ａとアンテナ載置面３６ｃ及び装着孔３６ｄとの間を繋ぐ板部である。ブリッジ部３６ｂは、取付部３６ａ、アンテナ載置面３６ｃ及び装着孔３６ｄよりも上方となる位置に配置されている。ブリッジ部３６ｂは、内面２６ｄと平行に設置される平板である。ブリッジ部３６ｂは省略されてもよい。
【００３２】
アンテナ載置面３６ｃは、アンテナモジュール１２が載置される平面である。本開示の場合、アンテナモジュール１２は、熱伝導シート４２を介してアンテナ載置面３６ｃ上に載置される。アンテナ載置面３６ｃは、取付部３６ａ、ブリッジ部３６ｂ及び装着孔３６ｄよりも下方に張り出した位置に配置されている。アンテナ載置面３６ｃは、内面２６ｄに対して上下方向に傾斜した平板３６ｆに形成された面である。
【００３３】
熱伝導シート４２は、高い熱伝導率を有するシート状部材である。熱伝導シート４２は、アンテナモジュール１２とアンテナ載置面３６ｃとの間を密着させ、アンテナモジュール１２からアンテナ載置面３６ｃへの良好な熱伝達を確保するための部品である。熱伝導シート４２は、例えば高い熱伝導率を持ったゴムシート（サーマルラバーシート）で形成されている。
【００３４】
一対の装着孔３６ｄ，３６ｄは、アンテナ載置面３６ｃを左右に跨いで設けられている。各装着孔３６ｄは、それぞれアンテナ載置面３６ｃと平行な平板３６ｇに形成された貫通孔である。各装着孔３６ｄの軸線方向は、アンテナ載置面３６ｃの垂直方向と平行している。
【００３５】
ブラケット３６は、ブリッジ部３６ｂと取付部３６ａとの間に上下方向に屈曲したクランク形状部３６ｈを有し、ブリッジ部３６ｂと装着孔３６ｄ（平板３６ｇ）との間に上下前後方向に捻じれたクランク形状部３６ｉを有する。また、アンテナ載置面３６ｃが形成された平板３６ｆは、各装着孔３６ｄが形成された平板３６ｇよりも下方に張り出している。これにより、ブラケット３６はアンテナ載置面３６ｃを取付部３６ａに対して傾いた姿勢で、且つ最も下方となる位置に配置している。また、ブラケット３６はその長手方向（左右方向）に対して上下方向に屈曲した形状であるため、薄板で構成されつつも十分な強度と剛性を有する。
【００３６】
保持具３８は、電波透過性を持った樹脂製の枠状部材である。保持具３８は、孔部３８ａと、一対の爪部３８ｂ，３８ｂと、側壁部３８ｃと、一対の側壁部３８ｄ，３８ｄと、一対の嵌合ピン３８ｅ，３８ｅとを有する。
【００３７】
孔部３８ａは、枠状部材である保持具３８の内側開口である。孔部３８ａには、上側からアンテナ載置面３６ｃが挿入され、下側から熱伝導シート４２及びアンテナモジュール１２が挿入される。つまりアンテナモジュール１２は、孔部３８ａ内で熱伝導シート４２を介してアンテナ載置面３６ｃ上に載置される。
【００３８】
一対の爪部３８ｂ，３８ｂは、孔部３８ａを左右に挟んで互いに対向配置されている。各爪部３８ｂは、孔部３８ａ内に挿入配置されたアンテナモジュール１２の左右縁部にそれぞれ係合するフックである。各爪部３８ｂは、樹脂製の幅狭板の先端に設けられることで弾性変位する。これにより各爪部３８ｂは、容易にアンテナモジュール１２に係合可能である。
【００３９】
側壁部３８ｃは、孔部３８ａの前壁である。一対の側壁部３８ｄ，３８ｄは、側壁部３８ｃと対向配置されるものであり、孔部３８ａの後壁である。各側壁部３８ｄは一体構造でもよい。本開示の各側壁部３８ｄは左右に離間して一対設けられる。このため、側壁部３８ｄ，３８ｄ間には、指や工具を挿入してアンテナモジュール１２を着脱させるための隙間が形成されている。これら側壁部３８ｃ，３８ｄは、爪部３８ｂ，３８ｂ間とアンテナ載置面３６ｃとの間で上下左右保持されたアンテナモジュール１２を前後方向に保持する部分である。
【００４０】
一対の嵌合ピン３８ｅ，３８ｅは、それぞれブラケット３６の一対の装着孔３６ｄ，３６ｄに嵌合可能である。保持具３８は、各嵌合ピン３８ｅが設けられた左右の枠部材の下面がブラケット３６の平板３８ｇに当接配置される。この際、各嵌合ピン３８ｅは、各装着孔３６ｄに嵌合される。これにより、保持具３８はブラケット３６に取付固定される。
【００４１】
当該電子機器１０では、ブラケット３６に固定した保持具３８に熱伝導シート４２及びアンテナモジュール１２を保持させることで、アンテナモジュール１２がブラケット３６に装着される。すなわちアンテナモジュール１２は、下面がアンテナ載置面３６ｃで支持され、上面が爪部３８ｂで支持されることで、ブラケット３６と保持具３８によって保持される。この際、アンテナモジュール１２は、熱伝導シート４２を介してアンテナ載置面３６ｃ上に密着する。このため、アンテナモジュール１２の発熱は、アンテナ載置面３６ｃから金属製のブラケット３６全体へと円滑に放熱される。つまりブラケット３６は、アンテナモジュール１２の取付具としての機能と、放熱具としての機能を兼ねる。
【００４２】
また、ブラケット３６に装着されたアンテナモジュール１２は、アンテナ載置面３６ｃに対向する装着面１２ａ以外の周囲が電波透過性を持った樹脂製の保持具３８によって囲まれている。このため、装着面１２ａ側以外の各方向に電波を送受信可能である。特に、アンテナモジュール１２は、装着面１２ａの裏面に電波送受信部１２ｂを有する。電波送受信部１２ｂは、例えばアンテナモジュール１２において実際に電波を送受信するアンテナパターンである。電波送受信部１２ｂは、少なくともその周囲に対して１８０度以上の広範囲に電波を送受信可能である。なお、本開示のアンテナモジュール１２は、装着面１２ａにもアンテナパターンを有するが、このアンテナパターンは導体であるアンテナ載置面３６ｃによって略遮蔽されている。
【００４３】
図７Ａは、本開示の電子機器１０の後端部及びその周辺部を拡大して模式的に示した側面断面図である。図７Ｂは、図７Ａに示す電子機器１０のディスプレイ筐体１６の角度を変更した状態での側面断面図である。なお、図７Ａは、本体筐体１４とディスプレイ筐体１６との間を９０度の角度位置に設定した状態を示し、図７Ｂは、本体筐体１４とディスプレイ筐体１６との間を１５０度の角度位置に設定した状態を示している。
【００４４】
図７Ａ及び図７Ｂに示すように、アンテナモジュール１２は、本体筐体１４内で後端部に配置されている。アンテナモジュール１２は、第１筐体部材２６の内面２６ｄに固定されたブラケット３６に取付固定されることで、電波送受信部１２ｂが後斜め下を臨んだ姿勢で設置されている。またアンテナモジュール１２は、ブラケット３６で最も下方に配置されたアンテナ載置面３６ｃに装着されている。このため、アンテナモジュール１２は、電波送受信部１２ｂが第１筐体部材２６の内面２６ｄよりも第２筐体部材２７の内面２７ａに近接した位置に配置されている。つまり、アンテナモジュール１２は第１筐体部材２６の開口２６ｃの開口縁部に近接した位置に配置されている。これにより、アンテナモジュール１２は少なくとも下面にある電波送受信部１２ｂが、内面２６ｄに固定された基板３０等の各種電子部品の下面と同一又はそれよりも下方に張り出した位置に配置されている。その結果、アンテナモジュール１２の電波送受信部１２ｂからの電波が基板３０等の電子部品に遮蔽されることが抑制されている。
【００４５】
当該電子機器１０において、第２筐体部材２７は、大部分がアルミニウムやマグネシウム等で形成された金属製の板状部材である。そこで、第２筐体部材２７は、アンテナモジュール１２に対向する位置、具体的には後端部におけるアンテナモジュール１２と重なる位置に電波透過性を持った電波透過部４４を有する。電波透過部４４は、第２筐体部材２７の金属板部に接合された樹脂製の板状部材である。これにより、アンテナモジュール１２は、電波送受信部１２ｂの後縁部から前縁部に亘って電波透過部４４を通過する角度範囲に電波を送受信可能である。つまり電波送受信部１２ｂは、図７中に１点鎖線で示す電波Ｒ１から電波透過部４４を介して電波Ｒ２に亘る角度範囲で良好に電波を送受信可能である。図７Ａ及び図７Ｂでは、アンテナモジュール１２の電波送受信部１２ｂが電波透過部４４と平行するように対向配置されているが、両者は平行に対向されず、ある程度の傾きを持って対向していてもよい。
【００４６】
また第１筐体部材２６は、大部分がアルミニウムやマグネシウム等で形成された金属製の板状部材である。第１筐体部材２６は、上板２６ａのアンテナモジュール１２に対向する位置、具体的には上板２６ａの後端部におけるアンテナモジュール１２と重なる位置に電波透過性を持った電波透過部４５を有する。電波透過部４５は、第１筐体部材２６の金属板部に接合された樹脂製の板状部材である。これにより、アンテナモジュール１２は、アンテナ載置面３６ｃから位置ずれした電波送受信部１２ｂの後縁部から電波透過部４５を通過する角度範囲で電波を送受信可能である。つまり電波送受信部１２ｂは、図７中に１点鎖線で示す電波Ｒ３及びその周辺で電波を良好に送受信可能である。
【００４７】
上記した通り、本開示のアンテナモジュール１２は、ＷｉＧｉｇ規格に準拠した高周波帯を扱う無線通信に対応しており、電波が指向性及び直進性を有する。そして、当該電子機器１０の後方には、例えばアンテナモジュール１２を経由して無線接続される拡張装置（ＷｉＧｉｇドック）４８が配置される。
【００４８】
しかしながら電子機器１０の使用時には、本体筐体１４の後方にディスプレイ筐体１６が配置される（図７Ａ及び図７Ｂ参照）。そこで、図７Ａ及び図７Ｂに示すように、電子機器１０は、ディスプレイ筐体１６の下端部にも電波透過部４９，５０を有する。電波透過部４９，５０は、電波透過性を持った樹脂製の部材である。電波透過部４９は、ディスプレイ筐体１６の背板５２の下端部に接合されている。電波透過部５０は、ディスプレイ１８の下側に配置され、ディスプレイ１８のベゼル部材５３と接合されている。
【００４９】
従って、例えばアンテナモジュール１２の電波送受信部１２ｂと拡張装置４８との間を無線接続する電波Ｒ１は、各電波透過部４４，４９，５０を良好に透過する。その結果、当該電子機器１０は、拡張装置４８との間で良好な無線通信品質を得ることができる。
【００５０】
以上のように、本開示の電子機器１０は、第１筐体部材２６の開口２６ｃを第２筐体部材２７で塞いだ箱状の本体筐体１４を備える。また電子機器１０は、電波を送受信するアンテナモジュール１２が載置されるアンテナ載置面３６ｃを有し、第１筐体部材２６の内面２６ｄに固定される金属製のブラケット３６と、ブラケット３６に装着され、アンテナ載置面３６ｃ上でアンテナモジュール１２を保持する樹脂製の保持具３８とを備える。
【００５１】
このように、当該電子機器１０は、本体筐体１４内に金属製のブラケット３６を介してアンテナモジュール１２を設置している。このため、アンテナモジュール１２は、その発熱が金属製のブラケット３６を介して拡散し、効率的に放熱される。また、アンテナモジュール１２はブラケット３６のアンテナ載置面３６ｃに載置された状態で樹脂製の保持具３８によって保持される。このため、アンテナモジュール１２はブラケット３６によって通信品質が大きく阻害されることはない。その結果、電子機器１０は、良好な通信品質を確保できる。
【００５２】
保持具３８は、内側に孔部３８ａが形成された枠状部材である。そして、アンテナ載置面３６ｃ及びアンテナモジュール１２は、孔部３８ａの内側に配置されている。このため、アンテナモジュール１２はアンテナ載置面３６ｃ上で確実に位置決め保持される。しかもアンテナモジュール１２はアンテナ載置面３６ｃ側の装着面１２ａ以外の周囲に導体が配置されないため、良好な通信品質が得られる。
【００５３】
本体筐体１４は、内部に基板３０等の電子部品を有すると共に、基板３０等の電子部品は第１筐体部材２６の内面２６ｄに固定されている。そして、アンテナモジュール１２は、第１筐体部材２６の内面２６ｄよりも第２筐体部材２７の内面２７ａに近接した位置に配置されている。これにより、アンテナモジュール１２は本体筐体１４内で内面２６ｄに固定された基板３０等の他の電子部品の間に埋もれることがない。その結果、電子機器１０は、一層良好な通信品質を確保できる。しかもブラケット３６は他の電子部品である基板３０等と共に第１筐体部材２６の内面２６ｄに固定されている。このため、筐体部材２６，２７間に亘る配線を削減又はなくすことができ、ユーザは円滑に且つ容易に第２筐体部材２７を第１筐体部材２６に対して着脱できる。その結果、電子機器１０は、メンテナンス性や拡張機能が制限されることもない。
【００５４】
当該電子機器１０は、第１筐体部材２６の上面にキーボード装置２２を有する本体筐体１４と、ディスプレイ１８を有し、本体筐体１４に対してヒンジ２８を介して開閉可能に連結されたディスプレイ筐体１６とを備える。これにより、電子機器１０は、ディスプレイ筐体１６内にアンテナモジュール１２が設置されない。このため、ディスプレイ筐体１６のベゼル部材５３を可及的に幅狭に構成することができ、外観品質が向上する。
【００５５】
なお、本発明は、上記した実施形態に限定されるものではなく、本発明の主旨を逸脱しない範囲で自由に変更できることは勿論である。
【００５６】
上記では、ノート型ＰＣの電子機器１０を例示したが、本発明は他の電子機器、例えばタブレット型パーソナルコンピュータ、スマートフォン等に適用してもよい。また、アンテナモジュール１２は、ＷｉＧｉｇ規格以外の規格に対応した仕様でもよい。
【００５７】
上記では、アンテナモジュール１２はブラケット３６を介して第１筐体部材２６に固定するものとした。しかしながら、例えば電子機器１０が、基板３０等の電子部品を第２筐体部材２７の内面２７ａに固定した構成の場合には、アンテナモジュール１２は、ブラケット３６を介して第２筐体部材２７の内面２７ａに固定されると共に、その内面２７ａに近接した位置に配置されるとよい。
【００５８】
上記では、アンテナモジュール１２を第２筐体部材２７の内面２７ａに近接配置した構成を例示した。しかしながら、アンテナモジュール１２は第２筐体部材２７の内面２７ａよりも第１筐体部材２６の内面２６ｄに近接配置されてもよい。
【符号の説明】
【００５９】
１０  電子機器
１２  アンテナモジュール
１２ｂ  電波送受信部
１４  本体筐体
１６  ディスプレイ筐体
１８  ディスプレイ
２２  キーボード装置
２６  第１筐体部材
２６ｃ  開口
２６ｄ，２７ａ  内面
２７  第２筐体部材
２８  ヒンジ
３０  基板
３６  ブラケット
３６ｃ  アンテナ載置面
３８  保持具
３８ａ  孔部
４２  熱伝導シート
４４，４５，４９，５０  電波透過部
【図１】
2018182651.tif 000003
【図２】
2018182651.tif 000004
【図３】
2018182651.tif 000005
【図４】
2018182651.tif 000006
【図５】
2018182651.tif 000007
【図６】
2018182651.tif 000008
【図７Ａ】
2018182651.tif 000009
【図７Ｂ】
2018182651.tif 000010